(57)【要約】  中心孔（１８）を有する丸められた圧迫キャップ（１０）。丸められた圧迫キャップ（１０）は、摺動または伸縮して、形成歯牙（２８）に適合し、かつ形成歯牙（２８）と歯肉（２４）の間の境界に対してより直接的な機械的圧力を印加する隣接層（１２）を有する。歯肉または歯茎（２４）は歯牙（２８）から圧排され、歯肉溝（３０）が形成または拡張される。これによって、印象を採得しクラウンまたはキャップを適合させるための歯牙（２８）の形成が改善される。一実施形態において、丸められた圧迫キャップ（１０）は、収斂材料または圧排剤が予め添加されるか、または収斂材料または圧排剤に浸漬される。別の実施形態においては、丸められた圧迫キャップ（１０）の中心孔（１８）に、収斂剤または止血剤を含有するペースト状またはゲル状の材料（３４）が充填される。
2012508630.tif 000002
【特許請求の範囲】
【請求項１】
歯科圧排用圧迫キャップであって、
形成歯牙に被せられるように適合された、中心孔を有するチューブを形成する吸収性材料の複数の隣接層を含み、
前記複数の隣接層が互いに沿って摺動して前記形成歯牙の形状に適合し、圧力を印加して歯肉溝の形成または拡張を助ける、歯科圧排用圧迫キャップ。
【請求項２】
前記複数の隣接層内に含有される圧排剤もさらに含む、請求項１に記載の歯科圧排用圧迫キャップ。
【請求項３】
前記圧排剤が収斂剤を含む、請求項２に記載の歯科圧排用圧迫キャップ。
【請求項４】
前記収斂剤が塩化ナトリウムを含む、請求項３に記載の歯科圧排用圧迫キャップ。
【請求項５】
前記圧排剤が、塩化アルミニウム、硫化アルミニウム、塩化第二鉄、タンニン酸、コーシャーソルト、塩化アルミニウムカリウム、および塩化アンモニウムカリウムからなる群から選択される、請求項２に記載の歯科圧排用圧迫キャップ。
【請求項６】
前記中心孔内に配置される圧排材料もさらに含む、請求項１に記載の歯科圧排用圧迫キャップ。
【請求項７】
前記圧排材料が、前記歯科圧排用圧迫キャップの隣接端部に沿って伸長する、請求項６に記載の歯科圧排用圧迫キャップ。
【請求項８】
前記吸収性材料の複数の隣接層が一枚の丸められた材料を含む、請求項１に記載の歯科圧排用圧迫キャップ。
【請求項９】
前記吸収性材料の複数の隣接層が、縦方向の圧力の印加時に反対側の開放端部へと折り重なるように適合されており、これによって前記圧排材料が前記反対側の開放端部から押し出されるのが防止される、請求項６に記載の歯科圧排用圧迫キャップ。
【請求項１０】
前記チューブの一端が扇形形状をしており、これによって前記チューブが隣接歯牙の間にしっかりと適合することができる、請求項１に記載の歯科圧排用圧迫キャップ。
【請求項１１】
前記チューブの周囲に配置されるループと、
前記ループに取り付けられるハンドルもさらに含み、
これによって前記歯科圧排用圧迫キャップが、前記ハンドルによって保持され、形成歯牙の上に容易に配置されることができる、請求項１に記載の歯科圧排用圧迫キャップ。
【請求項１２】
歯科手技で使用するための歯科圧排用圧迫キャップであって、
形成歯牙に被せられるように適合された、中心孔を有するチューブを形成する吸収性材料の複数の隣接層であって、一端に縦方向の圧力を印加すると、前記複数の隣接層が互いに隣接して摺動するか、または伸縮して、異なる高さで歯牙および歯肉に接触できるように形成されている複数の隣接層と、
前記吸収性材料の複数の隣接層内に配置される圧排剤とを含み、
前記複数の隣接層が互いに摺動して、前記形成歯牙および歯肉の形状に適合し、圧力を印加して歯肉溝の形成または拡張を助ける、歯科手技で使用するための歯科圧排用圧迫キャップ。
【請求項１３】
前記収斂剤が塩化ナトリウムを含む、請求項１２に記載の歯科手技で使用するための歯科圧排用圧迫キャップ。
【請求項１４】
前記圧排剤が、塩化アルミニウム、硫化アルミニウム、塩化第二鉄、タンニン酸、コーシャーソルト、塩化アルミニウムカリウム、および塩化アンモニウムカリウムからなる群から選択される、請求項１２に記載の歯科手技で使用するための歯科圧排用圧迫キャップ。
【請求項１５】
前記中心孔内に配置される圧排材料もさらに含む、請求項１２に記載の歯科手技で使用するための歯科圧排用圧迫キャップ。
【請求項１６】
前記圧排材料が、前記歯科圧排用圧迫キャップの隣接端部に沿って伸長する、請求項１５に記載の歯科手技で使用するための歯科圧排用圧迫キャップ。
【請求項１７】
前記吸収性材料の複数の隣接層が一枚の丸められた材料を含む、請求項１２に記載の歯科手技で使用するための歯科圧排用圧迫キャップ。
【請求項１８】
前記吸収性材料の複数の隣接層が、圧力の印加時に反対側の開放端部へと折り重なるように適合されており、これによって前記圧排材料が前記反対側の開放端部から押し出されるのが防止される、請求項１５に記載の歯科手技で使用するための歯科圧排用圧迫キャップ。
【請求項１９】
前記チューブの一端が扇形形状をしており、これによって前記チューブが隣接歯牙の間にしっかりと適合することができる、請求項１２に記載の歯科手技で使用するための歯科圧排用圧迫キャップ。
【請求項２０】
歯科手技で使用し、歯肉溝を拡張するための歯科圧排用圧迫キャップであって、
形成歯牙に被せられるように適合された、中心孔を有するチューブを形成する吸収性材料の複数の隣接層であって、一端に縦方向の圧力を印加すると、前記複数の隣接層が互いに隣接して摺動するか、または伸縮して、異なる高さで歯牙および歯肉に接触できるように形成されている複数の隣接層と、
前記吸収性材料の複数の隣接層内に配置される圧排剤と、
前記中心孔に配置される圧排材料と、
前記チューブの周囲に配置されるループと、
前記ループに取り付けられるハンドルとを含み、
前記複数の隣接層が互いに摺動して、前記形成歯牙および歯肉の形状に適合し圧力を印加して、前記圧排剤および圧排材料が前記歯肉溝の形成または拡張を助ける、歯科手技で使用し、歯肉溝を拡張するための歯科圧排用圧迫キャップ。
【請求項２１】
歯肉を圧排し、歯肉溝を形成する方法であって、
吸収性材料のシートを巻いて、前記吸収性材料のシートの隣接する巻状部が摺動または伸縮できるように中心孔を有するチューブを形成するステップと、
圧排剤を含有する溶液に前記チューブを浸漬するステップと、
前記チューブを乾燥させ、これによって前記圧排剤が不活性となり、前記吸収性材料のシートに保持されるステップと、
前記チューブを患者の口腔内の形成歯牙に被せるステップと、
前記吸収性材料のシートの前記隣接する巻状部を摺動または伸縮させるのに十分な縦方向の圧力を前記チューブに印加し、これによって選択された圧力が前記歯肉溝に印加され、前記歯肉溝を圧排または拡張するステップと、
前記チューブを前記形成歯牙から取り外すステップとを含む、歯肉を圧排し、歯肉溝を形成する方法。
【請求項２２】
前記中心孔内に吸収性材料を配置するステップもさらに含む、請求項２１に記載の歯肉を圧排し、歯肉溝を形成する方法。
【発明の詳細な説明】
【技術分野】
【０００１】
本発明は、組織の圧排をもたらすための方法および器具に関し、より具体的には、歯肉溝を形成する歯茎または歯肉を圧排するために形成歯牙に被せられる圧迫キャップに関する。
【背景技術】
【０００２】
クラウンまたはブリッジを作成するために形成歯牙の印象採得前に歯肉組織を圧排する従来の方法では、収斂剤で膨潤させた、または膨潤させていない短いコードを歯底の周囲に機械的に詰めることにより、歯肉溝または歯底の周囲の隙間を拡大させる。一定の時間が経過したら、歯底の周囲に画定された拡大させた隙間からコードが除去される。コードを除去する際、出血または体液の浸出を止めるために形成された凝塊がコードとともに除去されてしまい、結果的にさらなる出血が隙間の内部に浸出してしまうことが頻繁にある。その結果、さらなる出血を抑制または阻止できるまでは、形成歯牙の印象採得を行うことができない。したがって、正確な印象を得るのに必要な歯茎と歯底の間の隙間を拡大させる従来の手技は、患者にとって退屈で、時間がかかる上に、苦痛を伴ったり、極めて心地の悪いものである。さらに、歯科医が誤って隙間の生理的限界を超えてコードを押し込んでしまい、最終的には歯牙が失われる原因となることもある歯周ポケットを形成してしまう危険性もある。コードによる手法を使用する一般診療は歯科医にとって比較的難しく、退屈なものである。
【０００３】
圧排しなければならない歯牙と歯茎の間の隙間が非常に小さい場合には、歯肉組織を損傷せず、かつ生理的限界を超えてコードを押し込まずにコードを詰めることは歯科医にとってさらに一層困難なものとなり、患者にとってもこの手技はさらに苦痛を伴うものとなる。さらに、コードを詰める作業は、歯科医が歯科助手または歯科衛生士に任せてよい手技ではない。また、圧排コードを詰める作業は、クラウンまたはブリッジ修復手技を実施する上で最も嫌がられる手順である。
【０００４】
そこでコードを使用して歯肉組織の圧排を行う上での上記の欠点を解消するための取組みが行われてきた。このような中で知られている１つの取組みは、収斂性塩と混合させたカオリン粘土タイプの材料を使用する方法であり、これを形成歯牙の周囲に配置するだけで、水分を吸収し、歯肉組織を収縮させることができる。このような製品は、Ｓｙｂｒｏｎ  Ｄｅｎｔａｌ  ＳｐｅｃｉａｌｔｉｅｓからＥｘｐａＳｙｌという商標またはブランド名で販売されている。
【０００５】
このようなカオリンタイプの材料は、歯科診療所で一般的に使用される典型的な麻酔剤カートリッジに似たカートリッジに充填されており、このカートリッジはシリンジと一緒に使用しなければならないことが言及されている。カートリッジの先端には、針に似たカニューレを突き刺し、カニューレから粘土状のカオリン材料を押し出すには、注入圧の力が必要となる。カオリンタイプの材料の濃度の関係上、カニューレには、カオリンタイプ材料が流れるように非常に大きな孔が必要となる。カニューレのゲージ孔が大きいと、患者の口腔内の届きにくい場所に材料を配置する上でしばしば必要となるカニューレの屈曲が困難になってしまう。カニューレの孔はかなり大きいため、歯肉組織を圧排するためにコードを詰める従来の方法と似た方法でカオリンタイプの材料を歯肉溝の周囲に配置する際には、困難が生じてしまう。
【０００６】
さらに、歯肉組織を圧排するためにこのようなカオリンタイプの材料を使用すると、カオリン材料の崩壊を生じてしまい、歯肉組織と歯牙の間の隙間に材料を配置して歯肉組織の望ましい圧排を達成することが困難となることが多い。このようなカオリンタイプ材料で言及されている別の問題としては、止血作用または圧排を得るために必要な時間が経過した後にカオリン材料を除去する点である。通常、カオリン材料は、歯肉溝内で再度出血を起さずに全てのカオリン材料を除去するよう細心の注意を払いながら、ウォーターエアースプレーを使用して洗い流さなければならない。
【０００７】
コードレス圧排および／または止血を行う既知の別の手法は、米国特許第５６７６５４３号に開示されている。前記特許には、歯肉溝のコードレス圧排および／または止血を行うために２種類の粘稠度のシリコン材料を使用する、一般的に２部構成の方法が開示されている。
【０００８】
また、米国特許第６８９０１７７号には、より簡略化されたコードレス圧排方法および器具も開示されており、これらにより、コードレス圧排は、コード１本以上の形成歯牙と適合するような形状をし、基剤成分と触媒を含む２液型のシリコンタイプ印象材を含有するように配列された多孔性スポンジまたは発泡セル状ダムを用いることによって達成することが可能となり、これにより、望ましい厚排を行うのに必要な圧力を印加するために患者の咬合力が活用される。
【０００９】
歯肉溝の厚排にはその他の器具および方法も使用される。１つの製品は、Ｍａｇｉｃ  ＦｏａｍＣｏｒｄという商標名で販売されており、これは、使用前に歯科医が診察台の横で混合しなければならない２液型の化学重合成分系であり、これが重合または凝結することで歯肉組織の圧排が行われる膨張性のビニルポリシロキサンまたはシリコン材料に基づいている。
【発明の概要】
【００１０】
本発明は、歯茎または歯肉を圧排して歯牙の周囲の歯肉溝を形成するまたは拡大させるために歯牙に被せる、丸められた吸収性圧迫キャップに関する。圧迫キャップは、穴または中心孔の周囲に紙などの吸収材を丸めることによって作成される。紙は、巻状部が歯牙の形状に適合するだけでなく、巻状部の縁端部または端部がより直接的な圧力を歯牙の周囲の歯肉溝に印加するように入れ子構造をとることができるように丸められるか、または形成される。本発明の一実施形態において、丸められた圧迫キャップには、収斂剤または止血剤を予め添加してもよい。本発明の別の実施形態において、中心孔には、歯肉の圧排を助けるためにペーストまたはゲル材料を充填してもよい。丸められた圧迫キャップの反対側の開口端に圧力を印加すると、内側に折り重なって、反対側の開放端部を塞ぎ、ペーストまたはゲル材料が押し出される防止することができる。別の実施形態において、圧迫キャップは、隣接歯牙の間により良好に適合するように解剖学的形状を有するか、または扇形をしているか、または切り取られている。
【発明が解決しようとする課題】
【００１１】
本発明の目的は、歯茎または歯肉組織を圧排して、歯科手技で必要となる歯牙周囲の歯肉溝を簡単に、かつ患者にほとんど不快感を与えずに形成するのを助けることができる器具を提供することである。
【００１２】
本発明のさらなる目的は、印象採得などの歯科手技の準備において歯牙の周囲から液体を吸い取るまたは吸い上げることができる吸収性材料から製造される、丸められたまたは入れ子構造の圧迫キャップを提供することである。
【００１３】
本発明の利点は、歯肉溝の形成を補助する歯肉圧排を助けるのに望ましい領域に圧力がより直接的に印加されることである。
【００１４】
本発明のさらなる利点は、製造が比較的簡単で安価なことである。
【００１５】
本発明の特徴は、巻状部の伸縮によって歯肉と歯牙の間により直接的に圧力が印加されることで、歯肉溝の形成または拡張が大幅に容易になるように、圧迫キャップが丸められているか、または同心円状のリングまたは巻状部によって形成されている点である。
【００１６】
本発明の別の特徴は、紙などの吸収性材料から製造されている点である。
【００１７】
本発明のさらに別の特徴は、収斂剤または止血剤を予め添加してもよい点である。
【００１８】
上記およびその他の目的、利点および特徴は、以下の詳細な説明を参照すればより明らかになるであろう。
【図面の簡単な説明】
【００１９】
【図１】本発明の一実施形態の斜視図である。
【図２】図１に示した実施形態の平面図である。
【図３】本発明の別の実施形態の斜視図である。
【図４】図３に示した実施形態の平面図である。
【図５】巻状部または同心円状の円柱の伸縮性を示す斜視図である。
【図６】図５に示した実施形態の平面図である。
【図７】本発明の器具を適用する準備が整った形成歯牙を示す斜視図である。
【図８】形成歯牙への本発明の適用を概略的に示す図である。
【図９】形成歯牙への本発明の配置を概略的に示す図である。
【図１０】形成歯牙からの本発明の取外しを概略的に示す図である。
【図１１】本発明使用後の、歯肉の圧排と、形成または拡張された歯肉溝を概略的に示す図である。
【図１２】孔に材料が配置された本発明の別の実施形態の形成歯牙への配置を概略的に示す図である。
【図１３】孔に材料が配置された本発明の実施形態の形成歯牙への適用を概略的に示す図である。
【図１４】解剖学的形状または扇形形状を有する本発明の別の実施形態の形成歯牙への適用を示す斜視図である。
【発明を実施するための形態】
【００２０】
図１は、本発明の一実施形態を示す斜視図である。丸められた圧迫キャップ１０は、吸収性の紙または布等のシート状材料を丸めて、巻状、螺旋状または同心円状の層１２を形成することによって形成される。丸められた圧迫キャップ１０は、内側端１４および外側端１６を有し、中心孔１８が形成されている。丸められたシート状材料または紙は、圧力を伝達するのに十分な剛性を有する一方で、歯肉を損傷しないような十分な柔軟性または弾性を有するように選択してもよい。丸められたシート状材料または紙はまた、形成された歯肉溝から体液を吸収できるような吸収性を有さなければならない。
【００２１】
図２は、図１に示した丸められた圧迫キャップ１０を示す平面図または上面図である。丸められた圧迫キャップ１０は、好ましくは吸収性の紙タイプの材料で製造され、孔１８の縦軸を中心に丸められる。層１２を形成する丸められたシート材料は、圧力を印加できるような比較的高い剛性を有する一方で、歯牙の形状に適合するような十分な柔軟性も有さなければならない。さらに、層１２の巻きの締付け具合は、隣接層に十分な支持をもたらす締付け具合でなければならない一方で、形成歯牙に適合し、かつ歯肉溝を形成または拡張するために歯牙と歯肉の間の必要な場所に圧力が印加されるように、隣接層１２がいくらか伸縮したり、または独立して伸長したりできない程の締付け具合であってはならない。
【００２２】
図３は、ループ２２に取り付けられたハンドル２０を有する丸められた圧迫キャップ１０を示す本発明の別の実施形態の斜視図である。ハンドル２０およびループ２２は、比較的小さな圧迫キャップ１０を患者の口腔内に配置するのを容易にするものである。ループ２２はまた、丸められた圧迫キャップ１０が解けないように防止するのを助け、巻状または同心円状の隣接層１２を纏める役割も果たす。解けるのをさらに防止するには、外側端１６の付近に少量の接着剤を塗布して、丸められた圧迫キャップ１０をまとめてもよい。
【００２３】
図４は、図３に示した丸められた圧迫キャップ１０の平面図または上面図である。中心孔１８は図３にはっきりと示されている。
【００２４】
図５は、孔１８の縦軸に沿って異なる高さに伸縮したまたは配置された層１２を有する丸められた圧迫キャップ１０を示す斜視図である。丸められた圧迫キャップ１０が、伸縮したり、または異なる高さに配置されるように隣接層１２を隣接層１２に沿って摺動させられる能力を有することで、歯牙に隣接する歯肉溝に対して異なる隣接層１２が標的圧力を印加して歯肉組織または歯茎の組織を圧排する能力が著しく促進される。
【００２５】
図６は、図５に示した丸められた圧迫キャップ１０の実施形態の平面図または上面図である。丸められた圧迫キャップ１０は、一枚の丸められたシート状材料から形成されるものとして示されているものの、丸められたまたは巻状の実施形態と同等にまたは機能的に同様に伸縮するように、異なる直径を有する同心円状の円柱から圧迫キャップが製造されてもよいことが容易に見て取れるはずである。さらに、歯牙または形成物の用途および大きさに応じて異なる大きさまたは直径の丸められた圧迫キャップを使用してもよい。同様に、圧迫キャップは、歯牙または形成物の用途および大きさに応じて異なる大きさまたは直径の孔を形成するように丸めてもよい。
【００２６】
図７は、歯科手技の準備における患者の口腔の一部分を概略的に示しており、歯茎または歯肉２４、および形成歯牙２８に隣接する歯牙２６を示している。形成歯牙２８の周囲には、圧排または拡張しようとしている歯肉溝がある。一般的に、歯肉の圧排は、形成歯牙２８にキャップまたはクラウンをかぶせる手技に必要となる。形成歯牙２８の良好な印象採得を行えるように歯肉溝３０を形成または拡張するには、形成歯牙２８から歯肉または歯茎を引き離すことがしばしば必要になる。印象は、形成歯牙２８を覆うクラウン、キャップまたはインレー等の修復物の製造に使用される。
【００２７】
図８は、本発明の一実施形態の丸められた圧迫キャップ１０を形成歯牙２８に被せる様子を示している。ハンドル２０と接続されたループ２２は、患者の口腔の比較的狭い領域内に丸められた圧迫キャップ１０を配置するのを助ける。中心孔１８は、形成歯牙２８の大部分の上に配置される。しかし、丸められた圧迫キャップ１０を形成する異なる巻状の隣接層の端部は、実質的には形成歯牙２８と歯茎または歯肉２４の間の境界の上に配置される。隣接層または巻状部の一部は歯肉溝３０内に直接配置される。
【００２８】
図９は、形成歯牙２８の上に丸められた圧迫キャップ１０が配置され、対合歯牙３２からの下向きの圧力が印加される様子を示している。図９に明確に示されているように、丸められた圧迫キャップ１０の隣接層１２は、形成歯牙に適合するだけでなく、形成歯牙２８と歯茎または歯肉２４の間の歯肉溝３０に機械的圧力を直接印加するように、互いに沿って摺動していくらか伸縮または移動する。このように標的の機械的圧力を正確に印加することが、歯肉溝３０を分離または拡張し、歯茎または歯肉２４が形成歯牙２８の表面から離れるのを助ける。孔１８は、形成歯牙２８上の不必要な場所に圧力が印加されるのを防止するのに有用である。これにより、印加される機械的圧力を歯肉溝３０内の必要な場所に直接集中または配向させるのが容易になる。
【００２９】
図１０は、形成歯牙２８および歯肉２６の処理後に丸められた圧迫キャップ１０を取り外す様子を示している。歯肉溝３０および歯茎または歯肉は、形成歯牙２８の表面から圧排されている。
【００３０】
図１１は、印象採得の準備ができた状況または状態にある、形成歯牙２８、および拡張された歯肉溝３０、ならびに形成歯牙２８から圧排された歯茎または歯肉２４を示している。印象は、形成歯牙２８に嵌合するクラウンまたはキャップを製造するのに使用される。形成歯牙２８に被せるキャップまたはクラウンがしっかりときつく嵌合するには、良好な印象が必要不可欠である。
【００３１】
図１２および図１３は、本発明の別の実施形態を示す。本実施形態において、丸められた圧迫キャップ１１０は、圧排材料３４が充填された中心孔１８を有する。圧排材料３４は、形成歯牙２８に隣接して配置される丸められた圧迫キャップ１１０の隣接する表面または端部に沿って伸長してもよい。これにより、圧排材料３４の一部は、歯茎または歯肉に隣接して直接配置されるとともに、さらなる圧排材料が形成歯牙２８の隣接する表面に沿って歯肉溝３０へと移動する経路の役割も果たすことが可能となる。圧排材料は、収斂剤または止血剤等の圧排を促進する化学物質を含有するペーストまたはジェルの形状をしていてもよい。材料は、参考として本明細書で援用され、２００７年７月１０日にＤｉｓｃｋｏ，Ｊｒ．らに発行された米国特許第７２４１１４３号、“Ｐｒｅ−ｌｏａｄｅｄ  Ｄｅｎｔａｌ  Ｄａｍ  ａｎｄ  Ｍｅｔｈｏｄ  ｆｏｒ  Ｇｉｎｇｉｖａｌ  Ｔｉｓｓｕｅ  Ｒｅｔｒａｃｔｉｏｎ”に開示される圧排材料であってもよい。圧排材料３４は、隣接層と形成歯牙２８の表面の間から歯肉溝３０へと移動することができる圧排材料３４の貯蔵槽の役割を果たしてもよい。また、圧排材料３４は、隣接層１２によって吸収され、形成歯牙２８の表面の間から歯肉溝３０へと吸い出すこともできる。図１３に示すように、反対側の開放端部は、隣接層１２の折り重ね部分３６によって閉鎖されている。前記折り重ね部分３６が、圧排材料３４を封じ込め、反対側の開放端部から前記材料が押し出されるのを防止するのを助けるとともに、さらなる圧排材料３４が形成歯牙２８の表面を伝って歯肉溝３０へと押し出されるのを助ける。
【００３２】
図１４は、解剖学的形状または扇形形状の圧迫キャップ２１０を有する本発明の別の実施形態を示している。解剖学的形状の圧迫キャップ２１０は、隣接歯牙２６に隣接して配置される下部縁端部２３７を両側に形成した解剖学的形状または扇形形状と、形成歯牙２８の側面に沿って歯肉溝３０内へと配置された突出縁端部２３６とを有する、形成歯牙２８に隣接して配置されることを目的とした側面を有する。この解剖学的形状が、形成歯牙２８と隣接歯牙２６の間の比較的狭い隙間に適合するのを助けるとともに、解剖学的形状の丸められた圧迫キャップ２１０が確実に形成歯牙２８の上にしっかりと着座して、より適切に下方に押し付けられて標的の機械的応力を印加できるようにするのを助ける。
【００３３】
種々の実施形態に示した丸められた圧迫キャップは、歯肉を形成歯牙から分離して圧排が促進されるように、歯肉溝に対して標的通りの機械的応力を印加することを可能にする。丸められた圧迫キャップを患者が咬むと、中心はいくらか伸縮するか、つぶれるのに対し、外側の縁端部または層は比較的剛性が維持されたままとなる。外側の隣接層は摺動し、歯肉溝に押し入り、機械的に圧排を促進する。さらに、外側の隣接層は、収斂剤、止血剤または圧排剤を歯肉溝に直接送達することもできる。また、吸収性の紙材料を使用すると、歯肉溝内から唾液および血液等の体液を吸い取るまたは吸収することが容易になる。これにより、良好な印象を採得するのに必要となる、歯牙と歯肉溝の間の領域の乾燥が容易になる。紙の種類と巻きの強さによっては、丸められた圧迫キャップを比較的柔らかくまたはつぶれやすくなるように製造することもできれば、あるいは比較的剛性を維持してさらなる圧力をもたらすように製造することもできる。例えば、狭くて繊細な箇所には柔軟性または弾性のある紙を使用してもよく、大臼歯または大きな形成物の周囲等の広い領域にはより剛性の高い強力な紙を使用してもよい。
【００３４】
さらに、本発明の丸められた圧迫キャップの重要な特徴として、圧迫キャップに収斂剤または止血剤を予め添加、浸漬または含浸してもよい点がある。使用してもよい収斂剤は、塩化アルミニウム、硫化アルミニウム、塩化第二鉄、タンニン酸、塩化ナトリウム、コーシャーソルト、塩化アルミニウムカリウム、塩化アンモニウムカリウム、または生体適合性を有するいずれかの収斂剤である。
【００３５】
比較的刺激性の少ない特に好適な収斂剤は、一般的な食卓塩すなわち塩化ナトリウムであってよく、特にコーシャーテーブルソルトである。予添加された丸められた圧迫キャップは、吸収性の丸められた圧迫キャップを収斂剤または止血剤の溶液中に浸漬することによって調製することができる。溶液は、適切な溶媒に５質量％から５０質量％の収斂剤または止血剤を溶解したものであってよい。溶媒は蒸留水であるのが好ましい。溶液に浸漬した後、丸められた圧迫キャップを乾燥させて、乾燥した不活性の圧排剤、収斂剤または止血剤を含有する予添加された丸められた圧迫キャップを形成してもよい。使用時に、患者の口腔内の水分が圧排剤、収斂剤または止血剤を活性化する。さらに、歯肉溝への直接の送達を容易にするために、中心部にある圧排材料の一部を丸められた圧迫キャップに吸収しても、または吸い取ってもよい。
【００３６】
従って、本発明は、歯肉により直接的に圧力を印加して歯肉溝の形成または拡張を助けるように隣接層を移動または伸縮させることによって、歯牙および歯肉に適合する圧迫キャップを提供する。さらに、圧排剤または圧排材料が圧排を促進する。
【００３７】
ここまで複数の異なる実施形態の観点から本発明を説明してきたが、本発明の趣旨および適用範囲から逸脱しない範囲で種々の変更が行われる場合があることは明らかであろう。
【図１】
2012508630.tif 000003
【図２】
2012508630.tif 000004
【図３】
2012508630.tif 000005
【図４】
2012508630.tif 000006
【図５】
2012508630.tif 000007
【図６】
2012508630.tif 000008
【図７】
2012508630.tif 000009
【図８】
2012508630.tif 000010
【図９】
2012508630.tif 000011
【図１０】
2012508630.tif 000012
【図１１】
2012508630.tif 000013
【図１２】
2012508630.tif 000014
【図１３】
2012508630.tif 000015
【図１４】
2012508630.tif 000016
【国際調査報告】
2012508630.tif 000017